(57)【特許請求の範囲】
【請求項１】
電子機器を収容した筐体の側面に設けた開口部に、当該開口部を覆うように並設した複数の鎧板からなる鎧戸構造を備えた屋外設置用筐体において、
前記鎧板構造は、各鎧板の長辺が重力方向に沿う前記複数の鎧板を、前記重力方向と直交する方向に並設してなることを特徴とする屋外設置用筐体。
【請求項２】
鎧戸構造は、筐体の側面が向く方角に応じて、当該側面に対する鎧板の取り付け角度を変更したことを特徴とする請求項１記載の屋外設置用筐体。
【請求項３】
鎧戸構造は、複数の鎧板を連結して、筐体の側面に対する当該複数の鎧板の取り付け角度を一括して変更する連結部を備えることを特徴とする請求項１または請求項２記載の屋外設置用筐体。
【請求項４】
鎧戸構造は、複数の鎧板を重力方向からみて筐体の内側から外側に向けて放射状に並設してなることを特徴とする請求項１記載の屋外設置用筐体。
【請求項５】
筐体は、電子機器を収容した内部筐体と前記内部筐体を収納する外部筐体とからなり、
前記外部筐体の側面に形成した開口部を覆うように、鎧戸構造を設けたことを特徴とする請求項１から請求項４のうちのいずれか１項記載の屋外設置用筐体。
【請求項６】
請求項１から請求項５のうちのいずれか１項記載の屋外設置用筐体と、
前記屋外設置用筐体に収容された通信機器とを備えた屋外設置用通信装置。
【発明の詳細な説明】
【技術分野】
【０００１】
この発明は、太陽放射熱を遮断すると共に、内部に設置された電子機器が発する熱を外部へ放熱する屋外設置用筐体に関するものである。
【背景技術】
【０００２】
一般に、屋外設置用筐体は熱を発する電子機器類を内蔵した内部筐体と、この内部筐体を囲って太陽放射熱を遮熱する外壁とからなる２重筐体構造を有する。特許文献１に開示された制御装置では、電子機器類が発した熱を外部へ放熱するために、外壁の上方に鎧戸形状の通気孔が設けられていた。この通気孔の開口部は横に長く、開口部上端には細長い鎧板が下向きに傾斜して取り付けられている。内部筐体から放出された熱風は、内部筐体と外壁との隙間を重力とは逆方向の下から上に上昇し、通気孔の開口部から外部へ出る。
【０００３】
【特許文献１】特開２００６−３５１６４５号公報
【発明の開示】
【発明が解決しようとする課題】
【０００４】
従来の屋外設置用筐体は以上のように構成されているので、内部筐体と外壁との隙間を下から上昇してきた熱風は、下向きに傾斜した鎧板によって下向きに方向転換された後、外部に放出されていた。そのため、外壁の通気孔から外部に放出される風量が抑制され、結果として電子機器類の熱を効率よく放熱することができず、筐体内部が高温になってしまうという課題があった。
【０００５】
この発明は、上記のような課題を解決するためになされたもので、太陽放射熱を遮熱すると共に、内部の電子機器が発する熱を外部筐体から外部へ効率よく排出することによる放熱性の向上を目的とする。
【課題を解決するための手段】
【０００６】
この発明に係る屋外設置用筐体は、電子機器を収容した筐体の側面に設けた開口部に、開口部を覆うように並設した複数の鎧板からなる鎧戸構造を備え、鎧板構造は、各鎧板の長辺が重力方向に沿う前記複数の鎧板を、重力方向と直交する方向に並設するようにしたものである。
【発明の効果】
【０００７】
この発明によれば、電子機器を収容した筐体の側面に設けた開口部に、開口部を覆うように並設した複数の鎧板からなる鎧戸構造を備え、鎧板構造は、各鎧板の長辺が重力方向に沿う前記複数の鎧板を、重力方向と直交する方向に並設するようにしたので、太陽放射熱を遮断すると共に、内部の電子機器が発する熱を筐体外部へ効率よく排出することが可能である。
【発明を実施するための最良の形態】
【０００８】
実施の形態１．
図１は、この発明の実施の形態１に係る屋外設置用筐体を示す平面図（ａ）、一部切欠正面図（ｂ）および側面図（ｃ）である。図１に示す屋外設置用筐体は、熱を発する通信装置（電子機器）１、通信装置１を実装した箱状の内部筐体２、内部筐体２を収容した箱状の外部筐体（筐体）３、外部筐体３の前後左右側面の各上下に設けた開口部に設置された鎧戸構造４から構成される。各開口部には鎧戸構造４を２つずつ設置する。なお、内部筐体２には防水を目的とした密閉型筐体等を用いる。
【０００９】
図２は、この発明の実施の形態１に係る屋外設置用筐体の鎧戸構造を示す平面図（ａ）、および正面図（ｂ）である。また、図３は、この発明の実施の形態１に係る屋外設置用筐体の鎧戸構造を構成する鎧板を示す説明図である。図２および図３において同一または相当の部分については同一の符号を付す。
【００１０】
図２および図３に示す鎧戸構造４は、枠体５に複数枚の鎧板６ａ，６ｂを長辺が垂直になるように取り付けると共に、各鎧板６ａ，６ｂが平行に並ぶように配置してなる。複数枚の鎧板６ａを間に挟んで両端に鎧板６ｂを取り付ける。これら鎧板６ａ，６ｂは上端面の端部に突起７を備え、下端面の端部に突起８を備える。この突起７が枠体５の上端に設けた図示しない軸穴にそれぞれ嵌合すると共に、突起８が枠体５の下端に設けた図示しない軸穴にそれぞれ嵌合する。これにより、各鎧戸６ａ，６ｂは突起７，８を回転軸にして枠体５に回転可能に保持される。
【００１１】
また、鎧板６ａは上端面の略中央に係片９を備え、下端面の略中央に係片１０を備える。鎧板６ｂは上端面の略中央にネジ穴１３を形成し、下端面の略中央にネジ穴１４を形成する。これらネジ穴１３，１４に係片１１，１２が嵌合する。
【００１２】
連結金具（連結部）１７には長穴１８が開設され、連結金具（連結部）１９には不図示の長穴が開設されている。これら長穴の穴巾は、係片９，１０，１１，１２が丁度嵌合する寸法で形成されている。そして、枠体５上端側の連結金具１７に開設された長穴１８に、鎧板６ａの上端面に取り付けられた係片９、および鎧板６ｂの上端面に取り付けられた係片１１が装着される。また、枠体５下端側の連結金具１９に開設された長穴に、鎧板６ａの下端面に取り付けられた係片１０、および鎧板６ｂの上端面に取り付けられた係片１２が装着される。
【００１３】
なお、連結金具１７，１９が係片１１，１２から抜けないように、係片１１，１２は外径を拡径した頭部１１ａ，１２ａを有する。係片１１がネジ穴１３に嵌合した際に、この頭部１１ａが枠体５上端の連結金具１７を挟持する。同様に、係片１２がネジ穴１４に嵌合した際に、頭部１２ａが枠体５下端の連結金具１９を挟持する。鎧戸構造４の両端に取り付けられた鎧板６ａの係片１１，１２をネジ穴１３，１４に嵌合することにより、連結金具１７，１９と各鎧板６ａ，６ｂが固定され、枠体５と各鎧板６ａ，６ｂとの取り付け角度も固定される。
【００１４】
これら連結金具１７，１９が、複数の鎧板６ａ，６ｂを連結しているため、連結金具１７または連結金具１９を操作することにより、突起７，８を回転軸として鎧板６ａ，６ｂの取り付け角度を一度に連動して変更することができる。本実施の形態では、図２（ｂ）に示す連結金具１７を左右方向に移動させることにより、鎧戸構造４が形成された側面と鎧板６ａ，６ｂとが略平行となる取り付け角度から略１８０度移動した取り付け角度まで、複数の鎧板６ａ，６ｂの取り付け角度を一度に一括して調整できる。なお、図２（ａ）に示す鎧戸構造４のうちの右側の鎧戸構造４の鎧板６ａ，６ｂの取り付け角度は略４５度であり、左側の鎧戸構造４の鎧板６ａ，６ｂの取り付け角度は略１３５度である。
【００１５】
図１（ｂ）の切欠部分が示すように、発熱する通信装置１を実装した内部筐体２が放熱する熱風（矢印２０で示す）は、重力に逆らって下から上へ流れる性質を有する。外部筐体３の開口部に設置した縦方向のスリットである鎧戸構造４は、鎧板が重力方向に沿って配置されているために上昇する熱風２０を遮ることがなく、外部筐体３内部での空気の淀みも減少するため、外部筐体３の外へ熱風２０を効率よく排出できる。そのため、本実施の形態における通信装置１および内部筐体２の温度は、従来の横方向スリットの鎧戸構造を備えた屋外設置用筐体に内蔵されたそれと比べて低下する。
【００１６】
次に、屋外設置用筐体の設置例を説明する。図４は、この発明の実施の形態１に係る屋外設置用筐体の設置例を示す平面図である。図４において図１から図３と同一または相当の部分については同一の符号を付し説明を省略する。図４に示す屋外設置用筐体は、外部筐体３の正面外壁３ｂを南側に向けて屋外に設置した例である。
【００１７】
正面外壁３ｂを南の方角に向けて設置した場合、外部筐体３を構成する側面外壁３ａに設置された鎧戸構造４ａ，４ｂの鎧板を、側面外壁３ａに対する取り付け角度１３５度で固定することとした。また、正面外壁３ｂに設置された鎧戸構造４ｃ，４ｅの鎧板を、正面外壁３ｂに対する取り付け角度４５度で固定し、鎧戸構造４ｄ，４ｆの鎧板を１３５度で固定した。同様に、側面外壁３ｃに設置された鎧戸構造４ｇ，４ｈの鎧板を取り付け角度４５度で固定し、背面外壁３ｄに設置された鎧戸構造４ｉ，４ｋの鎧板を４５度に固定し、鎧戸構造４ｊ，４ｌの鎧板を１３５度に固定した。なお、各鎧戸構造に取り付ける鎧板の数、取り付ける間隔、取り付け角度等は、屋外設置用筐体の大きさ、設置する方角、設置場所の環境特性等に応じて適宜決定すればよい。
【００１８】
鎧戸構造４の鎧板６と平行な方向から入射する太陽光が、屋外設置用筐体内部に最も広範囲に侵入する。図４に示す太陽光の例では、太陽光が正面外壁３ｂ側の真南から矢印２１で示す方向に入射しているものとする。矢印で示す太陽光２１は、正面外壁３ｂに設置した鎧戸構造４ｃ，４ｄの間の隙間２２ａ、および鎧戸構造４ｅ，４ｆの間の隙間２２ｂから屋外設置用筐体内部へ一部しか侵入しない。さらに、その他の外壁３ａ，３ｃ，３ｄについても、各外壁の鎧板の取り付け角度を方角に応じて予め調整して固定したことにより、太陽光２１および太陽放射熱２３ａ，２３ｂが鎧板と平行にならず、屋外設置用筐体内部へ全く侵入しない。従って、内部筐体２を太陽放射熱から十分に遮熱できる。
【００１９】
また、図４に示す太陽光の例とは異なる方向から太陽光が入射する場合でも、屋外設置用筐体の設置の方角に応じて各外壁３ａ，３ｂ，３ｃ，３ｄに設置された鎧戸構造の鎧板の取り付け角度を、連結金具を操作してそれぞれ調整して固定するため、太陽光に平行な向きの鎧板がほとんどない状態となる。そのため、図４に示す例と同様に、屋外設置用筐体の内部には極めて狭い範囲しか太陽光が侵入せず、従って内部筐体２を太陽放射熱から十分に遮熱できる。放熱性の向上により、熱等の影響による通信装置１の寿命劣化を防ぐことが可能となる。
【００２０】
以上のように、実施の形態１によれば、外部設置筐体が通信装置１を実装した内部筐体２を収容した外部筐体３の側面に設けた開口部に、この開口部を覆うように並設した複数の鎧板６ａ，６ｂからなる鎧戸構造４を備え、鎧戸構造４は長辺が重力方向に沿う鎧板６ａ，６ｂを、重力方向と直交する方向に並設するように構成した。そのため、従来の横方向スリットの鎧戸構造で見られた様な鎧板による上昇風の遮りがなくなり、通信装置１および内部筐体２の発熱による熱風が上昇方向のまま外部へ排出される。これにより、放熱性が向上し、内部筐体の温度をさらに低下させる効果がある。
【００２１】
また、実施の形態１によれば、鎧戸構造４の鎧板６ａ，６ｂの取り付け角度を、取り付ける外部筐体３の側面が向く方角に応じて変更するように構成した。そのため、外部筐体３へ入射するほぼ全ての方向の太陽光を遮断して太陽放射熱を遮熱することができ、内部筐体の温度をさらに低下させる効果がある。
【００２２】
さらに、実施の形態１によれば、複数の鎧板６ａ，６ｂを連結する連結金具１７，１９を備えるように構成した。そのため、鎧戸構造４に設置した鎧板６ａ，６ｂの取り付け角度を一度に一括して変更できる効果がある。
【００２３】
実施の形態２．
上記実施の形態１では、屋外設置用筐体に取り付けられた鎧戸構造の鎧板の取り付け角度を、予め設置の方角に応じて調整し、固定しておく構成とした。本実施の形態２では、鎧戸構造の鎧戸を、設置の方角によらず所定の取り付け角度で予め固定しておく構成とする。
【００２４】
図５は、この発明の実施の形態２に係る屋外設置用筐体を示す平面図（ａ）、一部切欠正面図（ｂ）および側面図（ｃ）である。図５に示す屋外設置用筐体は、鎧戸構造２４を除いた他の構成が実施の形態１の図１に示す屋外設置用筐体の構成と同様であるので、詳細な説明を省略する。また、図６は、この発明の実施の形態２に係る屋外設置用筐体の鎧戸構造を示す斜視図である。図６に示す鎧戸構造２４は、鎧板２６の長辺を垂直にして、短辺を鎧戸構造２４が取り付けられた外部筐体３の壁面に対する取り付け角度が鎧板毎に異なるように、例えば溶接により枠体２５に取り付ける。なお、鎧板２６の数、取り付ける間隔、取り付け角度等は、屋外設置用筐体の大きさ等に応じて適宜決定すればよい。
【００２５】
本実施の形態２では、鎧板毎に取り付け角度が異なる１例として、図６に示す鎧戸構造２４を用いる。鎧戸構造２４の複数の鎧板２６は、重力方向からみたときに外部筐体３の内側から外側へ向かって広がる放射状になっている。鎧戸構造２４の中心に近い鎧板２６ほど外部筐体３の壁面に対して垂直になり、両端に近い鎧板２６ほど壁面に対して水平になり左右に広がって取り付けられている。各鎧板２６を枠体２５に放射状に固定した鎧戸構造２４を、外部筐体３に設けた全ての開口部に設置する。
【００２６】
図５（ａ）の切欠部分に示すように、外部筐体３の開口部に設置した縦方向のスリットである鎧戸構造２４は、実施の形態１同様に、外部筐体３の外へ熱風２７を効率よく排出できる。そのため、本実施の形態における通信装置１および内部筐体２の温度は、従来の横方向スリットの鎧戸構造を備えた屋外設置用筐体に内蔵されたそれと比べて低下する。
【００２７】
次に、屋外設置用筐体の設置例を説明する。図７は、この発明の実施の形態２に係る屋外設置用筐体の設置例を示す平面図である。図７において図５と同一または相当の部分については同一の符号を付し説明を省略する。図７に示す屋外設置用筐体には、屋外設置用筐体を設置する方角によらず、全ての開口部に図６に示す鎧戸構造２４が取り付けられている。ここでは、矢印で示す方向から外部筐体３の正面外壁３ｂに向かって太陽光２８が入射する場合を例にとり説明する。
【００２８】
鎧戸構造２４の鎧板と平行な方向から入射する太陽光が外部筐体３の内部に最も広範囲に侵入するが、太陽光２８と鎧板とが平行であって太陽光２８が侵入する太陽光入射範囲２９ａ，２９ｂ，２９ｃは限られている。即ち、外部筐体３の外壁面積に比べて、太陽光がその内部に侵入する面積は極めて狭い。従って内部筐体２を太陽放射熱から十分に遮熱できる。
【００２９】
また、図７に示す太陽光の例とは異なる方向から太陽光が入射する場合でも、鎧板の取り付け角度を鎧板毎に少しずつ変えて固定してあるため、太陽光に平行な鎧板はほとんどない。そのため、図７に示す例と同様に、屋外設置用筐体の内部には極めて狭い範囲しか太陽光が侵入せず、従って内部筐体２を太陽放射熱から十分に遮熱できる。放熱性の向上により、熱等の影響による通信装置１の寿命劣化を防ぐことが可能となる。
【００３０】
以上のように、実施の形態２によれば、鎧戸構造２４は、互いに隣接する鎧板２６の一端の間隔が他端の間隔より広くなるように、複数の鎧板２６を重力方向からみて放射状に並設するように構成した。そのため、上記実施の形態１の構成で得られる効果に加え、外部筐体３へ入射するほぼ全ての方向の太陽光を遮断して太陽放射熱を遮熱することができ、内部筐体の温度をさらに低下させる効果がある。
【００３１】
なお、上記実施の形態２では、鎧板２６が外部筐体３の外側に開いた放射状になるように構成したが、外部筐体３の内側に開いた放射状になるように構成してもよい。この構成の場合でも同様の効果が得られる。
【００３２】
なお、この発明の実施の形態１および実施の形態２による屋外設置用筐体は、内部に通信装置１を収容する構成であったが、これに限定されるものではない。ただし、発熱量の大きい電子機器を内部に収容した高発熱ユニットを内部に収容する構成である場合に特に大きな効果を有する。
【００３３】
また、この発明の実施の形態１および実施の形態２による屋外設置用筐体は、内部筐体２と外部筐体３とからなる二重筐体構造であったが、内部筐体２を廃して外部筐体３のみの一重筐体構造であってもよい。
【図面の簡単な説明】
【００３４】
【図１】この発明の実施の形態１に係る屋外設置用筐体を示す一部切欠正面図、平面図および側面図である。
【図２】この発明の実施の形態１に係る屋外設置用筐体の鎧戸構造を示す平面図および正面図である。
【図３】この発明の実施の形態１に係る屋外設置用筐体の鎧戸構造を構成する鎧板を示す説明図である。
【図４】この発明の実施の形態１に係る屋外設置用筐体の設置例を示す平面図である。
【図５】この発明の実施の形態２に係る屋外設置用筐体を示す一部切欠正面図、平面図および側面図である。
【図６】この発明の実施の形態２に係る屋外設置用筐体の鎧戸構造を示す斜視図である。
【図７】この発明の実施の形態２に係る屋外設置用筐体の設置例を示す平面図である。
【符号の説明】
【００３５】
１  通信装置（電子機器）、２  内部筐体、３  外部筐体（筐体）、３ａ，３ｃ  外部筐体の側面外壁、３ｂ  外部筐体の正面外壁、３ｄ  外部筐体の背面外壁、４，４ａ−４ｌ，２４  鎧戸構造、５，２５  枠体、６，６ａ，６ｂ，２６  鎧板、７，８  突起、９，１０，１１，１２  係片、１１ａ，１２ａ  係片頭部、１３，１４  ネジ穴、１７，１９  連結金具（連結部）、１８  長穴、２０，２７  熱風、２１，２８  太陽光、２２ａ，２２ｂ  隙間、２９ａ，２９ｂ，２９ｃ  太陽光入射範囲、２３ａ，２３ｂ  太陽放射熱。
【図１】
0004651687.tif 000002
【図２】
0004651687.tif 000003
【図３】
0004651687.tif 000004
【図４】
0004651687.tif 000005
【図５】
0004651687.tif 000006
【図６】
0004651687.tif 000007
【図７】
0004651687.tif 000008